(57)【要約】【課題】  施工が容易で、排水性および保水性に優れた、建物の屋上等の緑化に適する屋上緑化プラント、およびそれを用いた屋上緑化システムを提供する。【解決手段】  屋上緑化プラント１は、上方が開口したトレイ２を用いる。このトレイ２の底部１１を含む内面に、透水性を有し植物の根は貫通させない耐根シート４を設け、この耐根シート４のトレイ底部の上側に位置する部分の上に、保水性を有し前記耐根シート４を保護する保護マット５を敷設する。この保護マット５の上側に、植物３を栽培する植栽基盤６を設ける。このような屋上緑化プラント１を、建物の屋外平坦面Ｆの上に縦横整列状態に複数配置し、隣合う屋上緑化プラント１のトレイ２同士を互いに結合して屋上緑化システムとする。【選択図】        図２
2010004837.tif 000002
【特許請求の範囲】
【請求項１】
上方が開口したトレイの底部を含む内面に、透水性を有し植物の根は貫通させない耐根シートを設け、この耐根シートのトレイ底部の上側に位置する部分の上に、保水性を有し前記耐根シートを保護する保護マットを敷設し、この保護マットの上側に植物を栽培する植栽基盤を設けたことを特徴とする屋上緑化プラント。
【請求項２】
請求項１において、前記トレイの底部が凹凸状であり、凸部の上面で前記耐根シートを下から支持し、かつ凹部を貯水部とした屋上緑化プラント。
【請求項３】
請求項１または請求項２において、前記トレイは、平面形状が略長方形の底部と、この底部の外周縁から上方に立ち上がる立縁部とを有し、前記立縁部の外側面に、隣合う屋上緑化プラントのトレイ同士を互いに結合する結合手段が設けられている屋上緑化プラント。
【請求項４】
請求項１ないし請求項３のいずれか１項に記載の屋上緑化プラントを建物の屋外平坦面の上に縦横整列状態に複数配置し、隣合う屋上緑化プラントのトレイ同士を互いに結合したことを特徴とする屋上緑化システム。
【発明の詳細な説明】
【技術分野】
【０００１】
この発明は、建物の屋上等を植物で覆って緑化するのに適した屋上緑化プラントおよびそれを用いた屋上緑化システムに関する。
【背景技術】
【０００２】
都市部でのヒートアイランド現象の対策の一つとして、建物の屋上を植物で覆う屋上緑化が注目されている。従来の屋上緑化は、図１０に示すように、屋上のスラブ天面Ｆに防水シート６０を敷き、その上にレンガやコンクリートのブロック６１で囲いを作り、その囲いの底部に耐根シート６２および保護シート６３を敷き、その上に土６４を敷き詰めて植物６５を栽培する方法が一般的であった。
また、スラブ天面Ｆに並べたトレイで植物を栽培する方法も広く行われている。この場合、スラブコンクリートとトレイとの間に、耐根シートおよび保護シートを敷いていた。
【特許文献１】特開平８−３０８３９０号公報
【特許文献２】特開２００７−２５９７１６号公報
【発明の開示】
【発明が解決しようとする課題】
【０００３】
上記レンガやコンクリートのブロック６１で囲いを作る屋上緑化方法は、囲いを作るのに専門的な技術を必要とするうえ、耐根シート６２や保護シート６３の敷設が面倒で、施工が容易でないという問題があった。また、重量物であるレンガやコンクリートのブロック６１を用いるため、完成物の重量が重くなるという問題があり、十分な強度を有する建物にしか適用できなかった。
トレイで植物を栽培する方法は、囲いを作る必要がない分だけ施工が簡単ではあるが、耐根シートや保護シートを敷設する必要があることに変わりはなく、やはり施工が容易であるとはいえない。
【０００４】
この発明の目的は、施工が容易で、排水性および保水性に優れた、建物の屋上等の緑化に適する屋上緑化プラントを提供することである。
また、この発明の他の目的は、上記屋上緑化プラントを用いて、スペース的に無駄が無く強度的に強い屋上緑化システムを提供することである。
【課題を解決するための手段】
【０００５】
この発明の屋上緑化プラントは、上方が開口したトレイの底部を含む内面に、透水性を有し植物の根は貫通させない耐根シートを設け、この耐根シートのトレイ底部の上側に位置する部分の上に、保水性を有し前記耐根シートを保護する保護マットを敷設し、この保護マットの上側に植物を栽培する植栽基盤を設けたことを特徴とする。
【０００６】
この発明の構成によれば、予めトレイ内に耐根シートおよび保護マットが設けられているため、施工時に耐根シートや保護マットを敷設する作業が不要で、施工を簡略化できる。また、施工現場以外の場所で屋上緑化プラントを完成させておいた場合、施工現場では屋上緑化プラントを並べるだけでよく、難しい作業を要しないので、誰でも容易に施工できる。
耐根シートは透水性を有する物を用いたため、植栽基盤の排水性が良く、栽培している植物の根腐れを防げる。また、保護マットは保水性を有するため、耐根シートを介して下方から吸い上げた水を保護マットに貯えておくことができる。このため、水遣り等の管理が行いにくい建物の屋上等の場所に設置する緑化プラントに適する。
【０００７】
なお、特許文献１に、植栽用の保持枠内に空気は通すが水は通さない耐根シートを敷き、その上に植栽基盤である植生マットを敷設して、この植生マットで植栽を育成することが記載されている。この文献に記載の緑化方法は、道路の法面等を緑化するためのものであり、植生マットで所定期間育成された植物は、植生マットごと目的場所に移しかえて定植させられる。つまり、トレイ内で植物を継続的に栽培するこの発明とは目的が大きく異なっている。この目的の違いから、この発明では透水性を有する耐根シートを用いるのに対し、特許文献１の緑化方法では水を通さない耐根シートを用いるという構成上の大きな違いが生じている。この発明が透水性を有する耐根シートを用いるのは、上に述べた理由による。対して、特許文献１の緑化方法が水を通さない耐根シートを用いるのは、成長期の植物に水分を十分与えられるようにするためである。
【０００８】
この発明において、前記トレイの底部が凹凸状であり、凸部の上面で前記耐根シートを下から支持し、かつ凹部を貯水部とすることができる。
トレイの底部を凹凸状にして、凸部の上面で耐根シートを下から支持することにより、耐根シートの下方に空間を形成することができ、植栽基盤の排水性が高まる。また、凹部を貯水部とすれば、トレイ内の水持ちが良好となる。
【０００９】
この発明において、前記トレイは、平面形状が略長方形の底部と、この底部の外周縁から上方に立ち上がる立縁部とを有し、前記立縁部の外側面に、隣合う屋上緑化プラントのトレイ同士を互いに結合する結合手段が設けられているのが良い。
トレイの底部の平面形状を略長方形とすると、複数の屋上緑化プラントを屋上等に設置する場合に、各屋上緑化プラントのトレイ間に隙間をほとんど生じさせずに、各屋上緑化プラントを縦横に整列状態に並べることができる。また、トレイに結合手段が設けられていれば、各屋上緑化プラントのトレイ同士の結合が容易である。
【００１０】
この発明の屋上緑化システムは、屋上緑化プラントを建物の屋外平坦面の上に縦横整列状態に複数配置し、隣合う屋上緑化プラントのトレイ同士を互いに結合したことを特徴とする。
上記のように複数の屋上緑化プラントを組み合わせれば、各屋上緑化プラントが隙間無く並び、かつ互いに結合し合った構成とすることができ、スペース的に無駄が無く強度的に強い屋上緑化システムとすることができる。
【発明の効果】
【００１１】
この発明の屋上緑化プラントは、上方が開口したトレイの底部を含む内面に、透水性を有し植物の根は貫通させない耐根シートを設け、この耐根シートのトレイ底部の上側に位置する部分の上に、保水性を有し前記耐根シートを保護する保護マットを敷設し、この保護マットの上側に植物を栽培する植栽基盤を設けたため、施工が容易で、排水性および保水性に優れた、建物の屋上等の緑化に適する。
【００１２】
また、この発明の屋上緑化システムは、屋上緑化プラントを平坦面の上に縦横整列状態に複数配置し、隣合う屋上緑化プラントのトレイ同士を互いに結合したため、スペース的に無駄が無く強度的に強い構成とすることができる。
【発明を実施するための最良の形態】
【００１３】
この発明の実施形態を図面と共に説明する。図１はこの実施形態にかかる屋上緑化システムの平面図、図２はその一部の破断側面図である。この屋上緑化システムは、建物屋上等の平坦なスラブ天面Ｆに、複数の屋上緑化プラント１を縦横整列状態に配置し、隣合う屋上緑化プラント１同士を互いに結合したものである。
【００１４】
屋上緑化プラント１は、上方が開口したトレイ２で緑化用植物３を栽培している。図２に示すように、トレイ２の底部を含む内面には耐根シート４が貼り付けられ、この耐根シート４のトレイ底部の上側に位置する部分の上に保護マット５が敷設されている。耐根シート４は、透水性を有し植物３の根は貫通させない特性のもので、材質は例えばポリプロピレンからなる。保護マット５は、前記耐根シート４を保護するためのものであり、保水性を有するものとされている。そして、保護マット５の上に植栽基盤として培土６を敷き詰め、この培土６で植物３を栽培する。培土６の厚みは、例えば３０mm程度である。培土６としては、通常の園芸用土を使用することができる。植物３は、ツル性の地被植物が好ましく、例えばツルマンネングサが適する。
【００１５】
前記耐根シート４は、例えば、基材シートに除草剤等の植物忌避剤を含有させたものである。基材シートとしては、上記ポリプロピレン以外に、ポリエチレン、ナイロン、ポリエステル、ポリ塩化ビニール等の合成繊維や、綿、麻、セルロース等の天然繊維等を用いることができる。また、基材シートは、織物、編物、および不織布のいずれであってもよい。耐根シートには、水も空気も通さない不透水性耐根シートと、水も空気も通す透水性耐根シートとがあるが、この発明の実施形態では透水性耐根シートを用いる。透水性耐根シートは、上記除草剤等の化学物質で根の生育を止める。
前記保護マット５は、耐根シート４を覆って保護し、十分な保水機能を有するものであれば良く、例えばピートモス、バーミキュライト等の保水性物質や、吸水性樹脂をマット状にしたものを用いることができる。
【００１６】
次に、図３ないし図６と共に、トレイ２について詳しく説明する。トレイ２は、合成樹脂材料（例えばポリプロピレン）で成型されたもので、略長方形の底部１１と、この底部１１の外周縁から上方に立ち上がる立縁部１２とを有し、上方に開口する底の浅い容器状をしている。
【００１７】
底部１１は凹凸状であり、長方形の短辺方向に沿って凸部１３と凹部１４とが平行に形成されている。凹部１４は、長手方向に沿って並ぶ部分的に底の浅い部分１４ａと、それ以外の深い部分１４ｂとからなっている。トレイ２の内面に耐根シート４を貼り付けた状態では、凸部１３の上面により耐根シート４が下から支持される。凹部１４の底の浅い部分１４ａには、水抜き孔１５が穿設されており、さらにこの水抜き孔１５の周囲に、上端が凸部１３の上面とほぼ同じ高さの小突起１６が設けられている。底の深い部分１４ｂは貯水部となっている。
【００１８】
立縁部１２は、詳しくは、底部１１の外周縁から上方に立ち上がる立ち上がり部分１２ａと、この立ち上がり部分１２ａの上端から外方に延びる水平部分１２ｂと、この水平部分１２ｂの外端から下方に垂下する垂下部分１２ｃからなっている。このような折り返し構造とすることで、強度アップが図られている。４辺の各垂下部分１２ｃの中央下部には、他の部分よりも内側に折り込まれた手掛け１７が形成されている。
【００１９】
また、４辺の各垂下部分１２ｃの両端付近には、結合手段としての係合部１８と被係合部１９とがそれぞれ別々に設けられている。図５に示すように、係合部１８は、垂下部分１２ｃから外側に突出する凸状のものであり、その先端部１８ａは水平方向に若干張り出している。被係合部１９は、垂下部分１２ｃの上端から下端付近に至る溝状であり、係合部１８の形状に対応して、最奥部１９ａの水平方向の幅が若干広くなっている。係合部１８を被係合部１９に上方から挿入することにより、両者が係合させられる。この係合部１８と被係合部１９とからなる結合手段により、一対のトレイ２を互いの立縁部１２同士が接する状態に整列配置した場合に、一方のトレイ２の係合部１８が他方のトレイ２の被係合部１９に係合して、両トレイ２が互いに結合される。
【００２０】
さらに、立縁部１２の上端コーナー部、すなわち水平部分１２ｂのコーナー部には、図６に示すように、上方に突出する平面視Ｌ形の位置決め突起２０が設けられている。この位置決め突起２０は、上下にトレイ２を積み重ねた場合に、下側のトレイ２の位置決め突起２０が上側のトレイ２の下端コーナー部に係合して、両トレイ２の水平方向の位置決めをするものである。
【００２１】
このトレイ２は、リサイクル品である再生ポリプロピレン等で作ることができ、しかも繰り返し使用することができるため、自然環境に良好である。また、トレイ２の材料であるポリプロピレンは耐光性があり、劣化にも強い。このため、長時間使用することができ、経済的である。また、位置決め突起２０が設けられているため、水平方向にずれることなく上下に複数個積み重ねることができる。このため、運搬等が容易である。
【００２２】
このトレイ２を用いた屋上緑化プラント１は、トレイ底部１１の凸部１３の上面で耐根シート４を支持する状態において、耐根シート４の下方にトレイ底部１１の凹部１４等からなる空間が形成されるため、透水性の耐根シート４を通って培土６中の余分な水が前記空間に排出される。そのため、排水性が良く、栽培中の植物３の根腐れを防げる。排出された水は、トレイ底部１１の凹部１４に貯えられる。余剰の水は、水抜き孔１５からトレイ２外へ溢れ出る。水抜き孔１５の周囲に小突起１６が設けられているため、培土６等の重みで耐根シート４が水抜き孔１５の位置に垂れ下がることが防げ、常に水抜き孔１５が開いた状態に保たれる。凹部１４に貯えられている水が耐根シート４を介して随時吸い上げられて、保護マット５が保水状態に保たれるため、水持ちが良く培土６の乾燥を防ぐことができる。このように、この屋上緑化プラント１は、排水性と保水性の両方を有するため、水遣り等の管理が行いにくい建物の屋上等の場所に設置するのに適する。
【００２３】
この屋上緑化プラント１は、予めトレイ２内に耐根シート４および保護マット５が設けられているため、施工時に耐根シート４や保護マット５を敷設する作業が不要で、施工を簡略化できる。屋上緑化プラント１は施工現場以外の場所で完成させておくことができる。その場合、施工現場では屋上緑化プラント１を並べるだけでよく、難しい作業を要しないので、誰でも容易に施工できる。
【００２４】
屋上緑化プラント１を建物の屋上等に設置する際には、図７に示す飛散防止金具５０を用いる。飛散防止金具５０は、例えば鋼板を折り曲げ加工したもので、上部に位置して断面形状が下方に開くＣ形の拘束部５１と、下部に位置して水平状の固定部５２と、これら拘束部５１と固定部５２を連結する連結部５３とでなる。連結部５３は、拘束部５１の一方端に続く垂直部分５３ａと、この垂直部分５３ａの下端に続いて下向き斜めに延び、その先端が固定部５２の一方端に繋がる傾斜部分５３ｂとでなる。
【００２５】
図８は上記飛散防止金具５０の使用状態を示す。飛散防止金具５０の拘束部５１をトレイ２の立縁部１２の上端に引っ掛けて拘束し、固定部５２の底面を接着剤５４によりスラブ天面Ｆに固定する。飛散防止金具５０をトレイ２の長短両辺の中央部に配置すれば、図のように連結部５３の傾斜部分５３ｂがトレイ立縁部１２の手掛け１７の下方に位置するため、上記傾斜部分５３ｂとトレイ立縁部１２とが干渉することを避けられる。また、手掛け１７が形成されている箇所ではトレイ立縁部１２の垂下部分１２ｃの長さが短く、図８において二点鎖線で示すように他のトレイ２を並べて設置した場合に、隣合う一対のトレイ２の立縁部垂下部分１２ｃの下端間に飛散防止金具５０の肉厚以上の隙間Ｓが生じるため、この隙間Ｓに連結部垂直部分５３ａを通して飛散防止金具５０を設置することができる。したがって、屋上緑化プラント１を隙間無く並べることができる。
【００２６】
このように飛散防止金具５０で屋上緑化プラント１を固定することにより、風等で屋上緑化プラント１が移動させられたり、吹き飛ばされたりするのを防止できる。屋上緑化プラント１を１個だけ設置する場合は、四辺の複数箇所を飛散防止金具５０で固定するのが望ましいが、複数の屋上緑化プラント１を並べて屋上緑化システムとする場合は、後述するように各屋上緑化プラント１は互いに結合されるので、各屋上緑化プラント１につき１箇所ずつ、または複数の屋上緑化プラント１ごとに飛散防止金具５０で固定するようにしてもよい。
【００２７】
次に、屋上緑化システムの施工例を図９と共に説明する。まず、同図（Ａ）のように、複数の屋上緑化プラント１を１列に並べ、隣合うトレイ２同士を結合手段である係合部１８（図示せず）と被係合部１９（図示せず）とで互いに結合する。複数の屋上緑化プラント１は、トレイ２の長手方向に並べても、短手方向に並べてもよい。次いで、同図（Ｂ）のように、各屋上緑化プラント１のトレイ立縁部１２の１辺を飛散防止金具５０でスラブ天面Ｆに固定する。固定方法は先に述べたとおりである。次いで、同図（Ｃ）のように、飛散防止金具５０で固定した側に隣接させて次の１列の屋上緑化プラント１を並べ、先の列と後の列の隣合うトレイ２同士を係合部１８と被係合部１９とで互いに結合する。これを繰り返すことにより、図１に示すように複数の屋上緑化プラント１が縦横整列状態に配置された屋上緑化システムとする。最後に、根が十分に活着していない植物３が風等で飛ばされるのを防止するために、屋上緑化プラント１を飛散防止ネット５５（図２）で被覆する。飛散防止ネット５５は設けるのが望ましいが、場合よっては設けなくてよい。
【００２８】
このように構成された屋上緑化システムは、各屋上緑化プラント１がほとんど隙間無く並び、かつ互いに結合し合っているため、スペース的に無駄が無く強度的に強い。そのため、建物の屋上等に設置するのに適する。
【図面の簡単な説明】
【００２９】
【図１】この発明の実施形態にかかる屋上緑化システムの平面図である。
【図２】同屋上緑化システムの一部の破断側面図である。
【図３】（Ａ）は同屋上緑化システムの屋上緑化プラントに使用されるトレイの平面図、（Ｂ）はその正面図、（Ｃ）はその側面図である。
【図４】図３（Ａ）のIV−IV断面図である。
【図５】対向して設けた一対のトレイの要部の平面図である。
【図６】（Ａ）はトレイの要部の平面図、（Ｂ）はその正面図である。
【図７】同屋上緑化システムに用いる飛散防止金具の斜視図である。
【図８】同飛散防止金具の使用状態を示す説明図である。
【図９】同屋上緑化システムの施工順序を示す説明図である。
【図１０】従来の屋上緑化方法を示す説明図である。
【符号の説明】
【００３０】
１…屋上緑化プラント
２…トレイ
３…植物
４…耐根シート
５…保護マット
６…培土（植栽基盤）
１１…底部
１２…立縁部
１３…凸部
１４…凹部
１８…係合部（係合手段）
１９…被係合部（係合手段）
５０…飛散防止金具
【図１】
2010004837.tif 000003
【図２】
2010004837.tif 000004
【図３】
2010004837.tif 000005
【図４】
2010004837.tif 000006
【図５】
2010004837.tif 000007
【図６】
2010004837.tif 000008
【図７】
2010004837.tif 000009
【図８】
2010004837.tif 000010
【図９】
2010004837.tif 000011
【図１０】
2010004837.tif 000012